(57)【要約】  複数の治療ランプとランプを動作させるためのコントローラとを含む放射エネルギー包帯システムが開示されている。電池がランプに電力供給し、ランプとコントローラとを支持する着用可能な織物層に固定されている。典型的な実施形態によれば、光線療法装置であって、伸縮性及び／又は可撓性の着用可能な治療ランププラットフォームを含み、この治療ランププラットフォームは、ユーザ処置領域に放射エネルギーを提供するように構成された複数の放射ランプと、放射ランプと位置合わせされユーザ処置領域に放射エネルギーを伝達するように配置された複数の放射エネルギー伝達領域を含む、伸縮性及び／又は可撓性の反射壁と、第１の表面と第２の表面とを含む伸縮性及び／又は可撓性の接着剤層であって、第１の表面は、反射層に取り外し可能に取り付けられ、第２の表面は、ユーザ処置領域に着用可能な治療ランププラットフォームを取り外し可能に取り付けることに動作可能に関連付けられている、接着剤層と、を含む、光線療法装置が提供される。
2018522640.tif 000002
【特許請求の範囲】
【請求項１】
光線療法装置であって、
着用可能な治療ランププラットフォームを含み、前記治療ランププラットフォームは、
ユーザ処置領域に放射エネルギーを提供するように構成された複数の放射ランプと、
前記放射ランプと位置合わせされ前記ユーザ処置領域に前記放射エネルギーを伝達するように配置された複数の放射エネルギー伝達領域を含む、伸縮性及び／又は可撓性の反射壁と、
第１の表面と第２の表面とを含む伸縮性及び／又は可撓性の接着剤層であって、前記第１の表面は、前記反射層に取り外し可能に取り付けられ、前記第２の表面は、前記ユーザ処置領域に前記着用可能な治療ランププラットフォームを取り外し可能に取り付けることに動作可能に関連付けられている、接着剤層と、を含む、光線療法装置。
【請求項２】
前記放射エネルギー伝達領域は開口部を含む、請求項１に記載の光線療法装置。
【請求項３】
前記着用可能な治療ランププラットフォームはミレニアムファルコン形状である、請求項１に記載の光線療法装置。
【請求項４】
前記接着剤層は粘着性の接着剤ゲルを含む、請求項１に記載の光線療法装置。
【請求項５】
前記接着剤層は、第１の副層材料で形成された第１の副層と、第２の材料で形成された第２の副層と、第３の副層材料で形成された第３の副層と、を含み、前記第１の副層は、前記反射層に取り外し可能に取り付けられ前記第２の副層に取り付けられるように適応され、前記第２の副層は前記第１及び第３の副層に取り付けられ、前記第１の副層は、前記ユーザ処置領域に取り外し可能に取り付けられ前記第２の副層に取り付けられるように適応されている、請求項１に記載の光線療法装置。
【請求項６】
前記第３の副層は、バイオクルーシブ材料、生体適合性材料、及び抗菌性材料のうちの１つ以上を含む、請求項５に記載の光線療法装置。
【請求項７】
前記複数の放射ランプは異波長放射エネルギーの混合組み合わせを含む、請求項１に記載の光線療法装置。
【請求項８】
前記複数の放射ランプが、赤色及び赤外波長放射エネルギーのうちの一方又は両方を含む、請求項１に記載の光線療法装置。
【請求項９】
前記光線療法装置の動作を制御するように構成された、一体化され着用可能なマイクロコントローラを更に含む、請求項１に記載の光線療法装置。
【請求項１０】
１つ以上の一体化され着用可能な電池を更に含む、請求項１に記載の光線療法装置。
【請求項１１】
前記反射壁及び接着剤層のうちの１つ以上はシリコン及び／又はウレタン系材料である、請求項１０に記載の伸縮性で可撓性の光線療法装置。
【請求項１２】
伸縮性で可撓性の着用可能な光線療法装置であって、
複数の放射エネルギーポッドであって、各ポッドは、ユーザ処置領域に放射エネルギーを提供する１つ以上の放射ランプを含み、各ポッドは１つ以上の他のポッドに伸縮自在及び可撓的に接続されている、複数の放射エネルギーポッドと、
１つ以上の放射エネルギー部分に伸縮自在及び可撓的に接続された制御ポッドであって、前記制御ポッドは、前記放射エネルギーポッドに動作可能に接続され、前記放射ランプの動作を制御するように構成されている、制御ポッドと、を含む、光線療法装置。
【請求項１３】
前記制御ポッドは、前記１つ以上の放射ランプに動作可能に電力供給する電源を含む、請求項１２に記載の伸縮性で可撓性の着用可能な光線療法装置。
【請求項１４】
前記放射ランプと位置合わせされ前記ユーザ処置領域に前記放射エネルギーを伝達するように配置された複数の放射エネルギー伝達領域を含む、伸縮性で可撓性の反射壁を更に含む、請求項１２に記載の伸縮性で可撓性の着用可能な光線療法装置。
【請求項１５】
第１の副表面と第２の副表面とを含む伸縮性で可撓性の接着剤層を更に含み、前記第１の副表面は、前記着用可能な光線療法装置に取り外し可能に取り付けられ、前記第２の副表面は、前記ユーザ処置領域に前記着用可能な光線療法装置を取り外し可能に取り付けることに動作可能に関連付けられている、請求項１２に記載の伸縮性で可撓性の着用可能な光線療法装置。
【請求項１６】
前記複数の放射ランプが、赤色及び赤外波長放射エネルギーのうちの一方又は両方を含む、請求項１２に記載の伸縮性で可撓性の着用可能な光線療法装置。
【請求項１７】
前記光線療法装置の動作を制御するように構成された、一体化され着用可能なマイクロコントローラを更に含む、請求項１２に記載の伸縮性で可撓性の着用可能な光線療法装置。
【請求項１８】
１つ以上の一体化され着用可能な電池を更に含む、請求項１２に記載の伸縮性で可撓性の着用可能な光線療法装置。
【請求項１９】
前記反射壁及び接着剤層のうちの１つ以上がシリコン及び／又はウレタン系材料である、請求項１２に記載の伸縮性で可撓性の着用可能な光線療法装置。
【発明の詳細な説明】
【技術分野】
【０００１】
本出願は、米国特許出願第１４／２１２，６０１号（２０１４年３月１４日に出願）の一部継続出願であり、この出願は、米国仮特許出願第６１／７９１，７３８号（２０１３年３月１５日に出願）に対する優先権を主張する。また本出願は、米国特許出願第１４／３２４，４５３号（２０１４年７月７日に出願）の一部継続出願であり、この出願は、米国特許出願第１３／６０４，０１２号（２０１２年９月５日に出願）（現在は米国特許第８，７７１，３２８号）の分割であり、これは、米国仮特許出願第６１／５３２，１４０号（２０１１年９月８日に出願）に対する優先権を主張する。これらの開示内容は参照により本明細書に組み込まれる。
【０００２】
（参照による援用）
「Ｌｉｇｈｔ  Ｔｈｅｒａｐｙ  Ｐｌａｔｆｏｒｍ  Ｓｙｓｔｅｍ」、米国特許公開第２０１３−００６６４０４（Ａ１）号（２０１３年３月１４日に公開、Ｔａｐｐｅｒら）。なおその開示内容は、参照によりその全体が本明細書に組み込まれる。
【０００３】
（発明の分野）
本実施形態は、発光ダイオード（ＬＥＤ）光線療法を用いて皮膚健康を改善し及び／又は皮下組織を緩和するための光ベースの皮膚治療処置を供給するための装置及び方法に関するが、他のタイプの光放射源を用いることもできる。
【背景技術】
【０００４】
ＬＥＤが発する特定の光スペクトル（青色又は赤色）は、創傷治癒により良好に影響を及ぼすこと又は筋肉若しくは他の皮下組織の痛みを軽減することに有益であることによって、皮膚処置に対する治療用であることが知られている。しかし、ユーザ／患者に、使いやすい在宅の光線療法供給装置、例えば、着用可能な包帯であって、異なるサイズ及び形状に順応するように調整可能であるか又は可撓性であり、ユーザが不快感を伴わずに使用が単純な包帯を提供する必要がある。代替案は、医師の診療所を訪問して処置を受けることである。
【０００５】
従来の既知の光線療法装置には、ＬＥＤ及びＬＥＤに電力供給する関連回路がユーザによる接触にさらされることに関連する問題があった。より具体的には、患者への光伝達を最大にするための努力において、ＬＥＤが患者により物理的に関与（例えば接触）される、又は更にはプロセスが汚れや油脂の堆積の結果としてＬＥＤを消耗させる処置表面への接触を許す方式でＬＥＤが配置されてきた。加えて、このような関与はいずれも、ＬＥＤ及び関連回路の鋭い又は熱い端部に露出される患者にとって、潜在的に危険である可能性がある。細かい回路構成を露出することは、脅威的で不快な経験を引き起こすことになる。
【０００６】
従来の既知の装置に伴う別の問題は、ＬＥＤ配置が固定されており、創傷場所、サイズ、若しくは形状により良好に対応するか、又は痛み領域に対してより良好に配置するように調整することができないことである。このような装置のＬＥＤは、創傷の特定の痛み領域の付近での装置適用をより良好に可能にするために、種々のパターンで選択的に配列させることができるわけではない。
【０００７】
光線治療の利益を使用する代替的手段を、曝露中の治療効果を最大化し、同時に使用の容易さと便利さを維持する方法で提供することが望まれる。
【発明の概要】
【発明が解決しようとする課題】
【０００８】
このため、本開示の範囲内で、ユーザの状態及び必要に答える様々なエネルギー変更の応用を組み込んだ、多様な軽量で、適応力のある、調整可能な実施形態が開示される。
【課題を解決するための手段】
【０００９】
本開示の典型的な一実施形態によれば、提供される光線療法システム及び装置は、ＬＥＤなどの放射ランプの治療ランププラットフォームが、多層構造物を含むアセンブリ内に配置され、ＬＥＤは患者の接触から保護されている。
【００１０】
開示する典型的な実施形態によって、サイズに基づいていようと又は状態に基づいていようと、ユーザの受容面（すなわち処置領域）に適合できる光ベースの治療をもたらすための調整可能／可撓性のプラットフォームが提供され、光線療法は、光の種類が限定されることなく、及び治療の最終目的が限定されることなく（すなわち、美容、健康、痛み軽減及び／又は創傷治癒）、適用することができる。これらの光源は、放射エネルギー供給の形態が異なってもよい。パルス光（ＩＰＬ）、集束光（レーザ）、及び他の光エネルギー操作方法が本開示の実施形態に包含されている。光放射の他の方法として、連続、パルス、集束、拡散、多波長、単一波長、可視及び／又は不可視の光波長を挙げることができる。
【００１１】
本開示の典型的な一実施形態によれば、成形された／適合された包帯などの形態が、所望の処置領域の変化に適応するように調整されることができるＬＥＤ電球又はＬＥＤストリップから発するＬＥＤ光を伴う。
【００１２】
本開示の１つの典型的な実施形態によれば、光線療法装置であって、伸縮性及び／又は可撓性の着用可能な治療ランププラットフォームを含み、治療ランププラットフォームは、ユーザ処置領域に放射エネルギーを提供するように構成された複数の放射ランプと、放射ランプと位置合わせされユーザ処置領域に放射エネルギーを伝達するように配置された複数の放射エネルギー伝達領域を含む、伸縮性及び／又は可撓性の反射壁と、第１の表面と第２の表面とを含む伸縮性及び／又は可撓性の接着剤層であって、第１の表面は、反射層に取り外し可能に取り付けられ、第２の表面は、ユーザ処置領域に着用可能な治療ランププラットフォームを取り外し可能に取り付けることに動作可能に関連付けられている、接着剤層と、を含む、光線療法装置が提供される。
【００１３】
別の本開示の典型的な実施形態によれば、伸縮性及び／又は可撓性の着用可能な光線療法装置が提供され、この光線療法装置は、複数の放射エネルギーポッドであって、各ポッドは、ユーザ処置領域に放射エネルギーを提供する１つ以上の放射ランプを含み、各ポッドは１つ以上の他のポッドに伸縮自在及び可撓的に接続されている、複数の放射エネルギーポッドと、１つ以上の放射エネルギー部分に伸縮自在及び可撓的に接続された制御ポッドであって、制御ポッドは、放射エネルギーポッドに動作可能に接続され、放射ランプの動作を制御するように構成されている、制御ポッドと、を含む。
【００１４】
したがって、本開示では、使いやすさ及び光分散が改善された、十分に伸縮性及び／又は可撓性で調整可能なＬＥＤ装置について説明する。このような装置は、患者の処置領域（例えば皮膚）からのランプ放射を効果的に高めるための間隔層及び／又は絶縁層を含む光線療法包帯システムを含む。１つの典型的な実施形態によれば、ランプは、絶縁層に対して引っ込んでおり、ランプに接触できることからユーザを保護するためのごく薄手のメッシュ層によって更に覆われている。また、開示する実施形態は、ローション、クリーム、及び／又は軟膏（供給される光線療法放射の有効性を高めてユーザ処置領域に処置を提供する）と共に用いてもよいし用いなくてもよい。
【図面の簡単な説明】
【００１５】
本特許又は出願書類は、少なくとも１枚のカラー印刷図面を含む。カラー図面を有する本特許又は特許出願公開の複製は、要請があれば、必要な手数料を支払うことにより、特許庁によって提供されるであろう。
【図１Ａ】本開示による腰補強材を含む治療ランププラットフォームの典型的な実施形態の平面図である。
【図１Ｂ】図１Ａの治療ランププラットフォームの反対側の平面図である。
【図２】図１Ａ及び１Ｂに示す治療ランププラットフォームの分解図である。
【図３】図１Ａ及び１Ｂに示す装置が患者上にある斜視図である。
【図４Ａ】本開示による膝補強材を含む着用可能な治療ランププラットフォームの別の典型的な実施形態の斜視図である。
【図４Ｂ】図４Ａの装置の代替的な図である。
【図４Ｃ】図４Ａの装置の代替的な図である。
【図４Ｄ】図４Ａの装置の代替的な図である。
【図５】図４Ａの装置の分解斜視図である。
【図６】本開示による膝補強材の代替的な典型的な実施形態である。
【図７】図６の装置の分解図である。
【図８】膝補強材の別の実施形態である。
【図９】膝補強材の別の実施形態である。
【図１０】主題の包帯システムの一実施形態の上面斜視図である。
【図１１】図１０の装置の底面図である。
【図１２】図１０の装置の分解図である。
【図１３Ａ】本開示の典型的な一実施形態による伸縮性で湾曲可能である着用可能な治療ランププラットフォームを示す。
【図１３Ｂ】本開示の典型的な一実施形態による伸縮性で湾曲可能である着用可能な治療ランププラットフォームを示す。
【図１４】図１３Ａ及び１３Ｂに示す伸縮性で湾曲可能である着用可能な治療ランププラットフォームの分解図である。
【図１５】図１４に示す反射層の平面図である。
【図１６】図１４に示す伸縮性で湾曲可能な最上層の平面図である。
【図１７】図１４に示す伸縮性で湾曲可能な最下層の平面図である。
【図１８】図１４に示す本開示の典型的な一実施形態によるＬＥＤストリップのレイアウトを示す。
【図１９】図１４に示す加熱要素及び温度センサ配列の拡大詳細図である。
【図２０】図１４に示す回路基板、すなわちコントローラ、及び電池配列の拡大詳細図である。
【図２１】図１４に示す回路基板及び電池を収容するための最下部ケーシングの拡大詳細図である。
【図２２】図１４に示す回路基板及び電池を収容するための最上部ケーシングの拡大詳細図である。
【図２３Ａ】本開示の典型的な一実施形態による可撓性の着用可能な治療ランププラットフォームの典型的な一実施形態を示す。
【図２３Ｂ】本開示の典型的な一実施形態による可撓性の着用可能な治療ランププラットフォームの典型的な一実施形態を示す。
【図２４】図２３Ａ及び２３Ｂに示す可撓性の着用可能な治療ランププラットフォームの分解図である。
【図２５】図２４に示す反射層の平面図であり、ＬＥＤクリアランスホールを示していない図である。
【図２６】図２４に示す生体適合性の粘着性ゲル層の平面図である。
【図２７】図２４に示す可撓性層の平面図である。
【図２８】図２４に示す湾曲可能な最下層の平面図である。
【図２９】図１４に示す本開示の典型的な一実施形態によるＬＥＤストリップのレイアウトを示す。
【図３０】図２４に示す加熱要素及び温度センサ配列の拡大詳細図である。
【図３１】図２４に示す回路基板、すなわちコントローラ、及び電池配列の拡大詳細図である。
【図３２】本開示の典型的な一実施形態による着用可能な治療ランププラットフォーム上の接着剤層を交換するプロセスを示す。
【図３３】本開示の典型的な一実施形態によりユーザの処置領域に着用可能な治療ランププラットフォームを適用するプロセスを示す。
【図３４Ａ】本開示の典型的な一実施形態による別の伸縮性で着用可能な治療ランププラットフォームを示し、この治療ランププラットフォームは、プラットフォームに動作可能に接続されたＳＩＭ（加入者識別モジュール）を含む。
【図３４Ｂ】本開示の典型的な一実施形態による別の伸縮性で着用可能な治療ランププラットフォームを示し、この治療ランププラットフォームは、プラットフォームに動作可能に接続されたＳＩＭ（加入者識別モジュール）を含む。
【図３５Ａ】ＳＩＭ上面カードスロットを含む着用可能な治療ランププラットフォームの典型的な一実施形態を示す。
【図３５Ｂ】ＳＩＭ上面カードスロットを含む着用可能な治療ランププラットフォームの典型的な一実施形態を示す。
【図３６Ａ】ＳＩＭ側面カードスロットを含む着用可能な治療ランププラットフォームの典型的な一実施形態を示す。
【図３６Ｂ】ＳＩＭ側面カードスロットを含む着用可能な治療ランププラットフォームの典型的な一実施形態を示す。
【図３７Ａ】ＳＩＭレトロビデオゲームカードスロットを含む着用可能な治療ランププラットフォームの典型的な一実施形態を示す。
【図３７Ｂ】ＳＩＭレトロビデオゲームカードスロットを含む着用可能な治療ランププラットフォームの典型的な一実施形態を示す。
【図３８Ａ】ＳＩＭとＳＩＭカードリーダとの組み合わせを含む着用可能な治療ランププラットフォームの典型的な一実施形態を示す。
【図３８Ｂ】ＳＩＭとＳＩＭカードリーダとの組み合わせを含む着用可能な治療ランププラットフォームの典型的な一実施形態を示す。
【図３８Ｃ】ＳＩＭとＳＩＭカードリーダとの組み合わせを含む着用可能な治療ランププラットフォームの典型的な一実施形態を示す。
【図３９Ａ】メインポッドの外側にＳＩＭとＳＩＭカードリーダとの組み合わせを含む着用可能な治療ランププラットフォームの典型的な一実施形態を示す。
【図３９Ｂ】メインポッドの外側にＳＩＭとＳＩＭカードリーダとの組み合わせを含む着用可能な治療ランププラットフォームの典型的な一実施形態を示す。
【図３９Ｃ】メインポッドの外側にＳＩＭとＳＩＭカードリーダとの組み合わせを含む着用可能な治療ランププラットフォームの典型的な一実施形態を示す。
【図４０Ａ】本開示の典型的な一実施形態による伸縮性の着用可能ランププラットフォームを示す。
【図４０Ｂ】本開示の典型的な一実施形態による伸縮性の着用可能ランププラットフォームを示す。
【図４０Ｃ】本開示の典型的な一実施形態による伸縮性の着用可能ランププラットフォームを示す。
【図４１】本開示による別の伸縮性の着用可能ランププラットフォームの典型的な一実施形態の斜視図である。
【図４２】図４１に示す伸縮性の着用可能ランププラットフォームの接着剤層構造を示す。
【図４３Ａ】図４１に示す伸縮性の着用可能ランププラットフォームに付随するポッドの構造的及び電気的な相互接続の詳細図である。
【図４３Ｂ】図４１に示す伸縮性の着用可能ランププラットフォームに付随するポッドの構造的及び電気的な相互接続の詳細図である。
【図４４Ａ】図４１に示す伸縮性の着用可能ランププラットフォームに付随するポッドの構造的及び電気的な相互接続の更なる詳細図である。
【図４４Ｂ】図４１に示す伸縮性の着用可能ランププラットフォームに付随するポッドの構造的及び電気的な相互接続の更なる詳細図である。
【図４５Ａ】本開示の典型的な一実施形態による可撓性の着用可能ランププラットフォームを示す。
【図４５Ｂ】本開示の典型的な一実施形態による可撓性の着用可能ランププラットフォームを示す。
【図４５Ｃ】本開示の典型的な一実施形態による可撓性の着用可能ランププラットフォームを示す。
【図４６】図４５Ａ、４５Ｂ、及び４５Ｃに示す可撓性の着用可能ランププラットフォームをユーザの腰部領域に適用した様子を示す。
【図４７】本開示の典型的な一実施形態による可撓性の着用可能ランププラットフォームを示す。
【図４８】図４７に示す可撓性の着用可能ランププラットフォームに含まれる交換可能な接着剤層の典型的な一実施形態を示す。
【図４９】図４８に示す交換可能な接着剤層の層状構造を示す。
【図５０Ａ】本開示の典型的な一実施形態による可撓性の着用可能ランププラットフォームを動作させる制御プログラムのフローチャートである。
【図５０Ｂ】本開示の典型的な一実施形態による可撓性の着用可能ランププラットフォームを動作させる制御プログラムのフローチャートである。
【図５０Ｃ】本開示の典型的な一実施形態による可撓性の着用可能ランププラットフォームを動作させる制御プログラムのフローチャートである。
【図５０Ｄ】本開示の典型的な一実施形態による可撓性の着用可能ランププラットフォームを動作させる制御プログラムのフローチャートである。
【図５０Ｅ】本開示の典型的な一実施形態による可撓性の着用可能ランププラットフォームを動作させる制御プログラムのフローチャートである。
【発明を実施するための形態】
【００１６】
主題の実施形態は、光線療法システムであって、好ましくは、装置内の治療ランプに電力供給するための携帯型バッテリパックと一体化された着用可能装置を含む、方法及び装置を含む光線療法システムに関する。主題の装置は、光プラットフォームを含む多くの効果を示し、このプラットフォーム及びその内部のランプは、使用中にユーザ処置領域に対して適切に置くことができ、処置中にヒトによる接触を必要としない。すなわち、装置の構造構成部分は、ユーザ上にランププラットフォームを支持するばかりでなく、ユーザの処置領域に対するランプの適切な位置決めのための案内として機能する。ランプは患者処置面により近く患者処置面に面する内部反射面に対して引っ込んでいるため、装置の構造アセンブリは、鋭い又は熱い面がユーザによって係合可能とはならないようになっている。ランプに電力を伝達する回路構成部品も、可撓性で伸縮性の壁構造物内に入っている。治療用光が、壁放射エネルギー伝達領域（例えば、これらに限定されないが、開口部、メッシュ、及び透明／半透明層）を通って光り、ランプ及び回路構成が層状の壁構造物内に効果的に覆われている間にユーザに伝達される。こうして、所望の治療処置を行なうために適切に離間されているけれども換気の改善を実現する表面がユーザに示されるため、ユーザ不快感が最小限になる美的で魅力的な装置表面がユーザに示される。その他の効果は、ユーザが受け取るとユーザの処置表面（例えば、背中又は膝）に一致するように形成される包帯の形態での装置の調整機能に関する。アセンブリ全体は意図的に、ユーザの使用の容易さ及び快適性のために、比較的軽量で最少化された構成部品で構成されている。
【００１７】
より詳細に、また図１Ａ、１Ｂ、及び２を参照すると、典型的な実施形態として、患者／ユーザが着用することができる（例えば、図３に示すように）腰補強材１０を含むものを示す。補強材１０は、補強材の終端にあるフックアンドループ固定布地によって、ユーザ上で支持しユーザに取り付けることができる。このような補強材は、腰部及び臀部用ヒートラップ１４を、患者に面する表面と反対側の補強材１０の外面に含むことができる。包帯のＬＥＤプラットフォームは弾性部材１２を含み、弾性部材１２上には、ＬＥＤストリップ１４が断熱性及び／又は反射性の支持体層１６上に装着されている。層１６が伸縮包帯１２とともに可撓性で伸縮性であることが重要である。なお、ＬＥＤを電池パウチ２２に接続するワイヤは、ＬＥＤストリップ間の寸法が延伸できるように余分に長い。電力は、電池パウチ２２に収容されたバッテリパック２０によって供給される。ＬＥＤ光１４は、患者の直接の係合から絶縁体層２４によって離間されており、絶縁体層２４は、ストリップが一体成形された形成可能材料のメッシュ布地から可撓性シートまで及ぶことができる。
【００１８】
１つの典型的な実施形態では、メッシュ布地によって、ランプ放射は反射することなく患者までずっと伝達することができる。
【００１９】
別の典型的な実施形態では、可撓性の形成可能材料２４は、光を通過させる窓として機能する開口部（図示せず）を有し、材料２４の残りの部分は光反射面を含んでいる。この実施形態では、ＬＥＤは患者から効果的に隠れており、層２４はメッシュ布地であり、患者はＬＥＤ先端部及び関連回路を見ることができる。
【００２０】
主題のシステムはまた、光の強度、周波数、又は方向を変える制御システムを含んでいてもよい。携帯型バッテリパックは、着用可能な光線療法装置に一体化されており、これは、取り外し可能な交換可能バッテリパック又は充電式バッテリパックを含んでいてもよい。
【００２１】
主題の調整機能は、調整可能なエネルギー出力、調整可能な波長、優先領域、タイマなどの形態で柔軟性／調整機能を高めるための「高性能」処理及びセンサシステムを通して実施することができる。センサシステムのセンサによって、主題の実施形態は、優先領域上で用いるエネルギーを多くするか少なくすることによって、処置領域を評価し高性能処置を計画できるようにすることができる。また主題の実施形態は、身体処置領域（例えば膝又は背中）の観点及び皮膚タイプ、年齢、問題の全体的な重大さの観点からも高性能にすることができ、それに応じて処置をカスタマイズすることができる。
【００２２】
更に別の典型的な実施形態では、ランプは形成可能材料の可撓性シート内に埋め込まれ、材料シート内でストリップとして一体成形されている。
【００２３】
図４Ａ、４Ｂ、４Ｃ、４Ｄ、及び５を参照すると、ＬＥＤストリップが菱形パターンで配列され、伸縮包帯が脚部を膝領域まで引き上げる単一のスリーブとして形成されている、典型的なＬＥＤ包帯が示されている。多構造層の補強材を図５に示すが、これは、伸縮包帯プラットフォーム５０、救急ブランケット材料５２で構築され得る第１の層標準材料、ＬＥＤ光ストリップ５４、及びストリップ５４を覆う表面層５６を含む。
【００２４】
図６及び７を参照すると、膝補強材の別の代替的な実施形態含示されており、ここで伸縮包帯は、図６に示すように膝の周りに巻かれている。伸縮包帯はやはり患者の膝頭の周りに菱形パターンを含み、これは多層構造物（図７に示すようなものなど）を含んでいる。
【００２５】
図８及び９に示すのは、更なる他の実施形態であり、同じ多層構造物を含む巻き付け膝補強材（図９に示すものなど）としても機能することができるものである。
【００２６】
他の実施形態では、ＬＥＤストリップパターンは、図示するような異なる配置で配列して、所望の患者処置領域に対する処置により良好に適合するようにすることができる。例えば、等間隔に配置するのではなく、ストリップを共に束ねて群又はいくつかの群にすることができ、そこで包帯材料は、ＬＥＤストリップを選択的に動かした後に材料の異なる場所で取り付けることができる材料（例えば、フックアンドループ締結布地）から構築される。
【００２７】
図１０及び１１に示すのは別の実施形態であり、電池エネルギー源７０が電池シュラウド７２内に入れられ、一次の織物層７６に取り付けられたコントローラ７４に動作可能に接続されているもの。図１０に示すのは、ユーザ処置領域（図示せず）から離れている、装置の最上層である。図１１に示すのは、図１０の装置の最下表面であり、治療放射ランプが処置領域まで複数のスペーサ窓開口部８０を通って伝達する。
【００２８】
図１２に、装置の構成要素をより明瞭に示す。バッテリパック７２及びコントローラ７４は、一次の織物層８２に機械的に取り付けられているか又は熱接合されており、この一次の織物層８２は、バックル８４及びバックル受取部８６アセンブリ内に受容されたストラップ（図示せず）を通して患者処置領域に固定することができる。典型的な一実施形態によれば、治療ランプは複数のＬＥＤストリップ９０を含み、これらは発泡及び反射層９２上に、ＬＥＤが窓８０と位置合わせされるように装着されている。ＬＥＤストリップ９０への電力は、電池７２からワイヤ（図示せず）を介して伝達される。発泡及び反射層９２は断熱材及びスペーサを含み、そのため、ストリップ９０上に装着されたＬＥＤは、それらが装着されている表面ではなく、層９２の反対側の表面に対して引っ込んでいる。ストリップ９０と層９２とによって、一実施形態では装置から選択的に取り外し可能でありその装置に交換可能なサブアセンブリが形成される。層９２はストリップ９０と同様に非常に可撓性であり、そのため、ストリップ９０及び層９２サブアセンブリは、非平坦な処置領域を適切及び快適に覆うように適合する装置を実現するという全体的目的のために、ストリップの中間領域と位置合わせされた複数の方向に沿って可撓性である。層９２の寸法は、ＬＥＤストリップ９０上のランプが、反射層９４が取り付けられた層９２の表面平面を壊すことがないような寸法になっている。典型的な一実施形態によれば、反射層９４は、ランプの放射エネルギーを反射するのに適した可撓性箔を含む。二次の織物層が、発泡及び反射層９２をごく薄手のメッシュ９８で覆っており、そのためランプ放射は処置領域まで妨害を最小にして伝達されることができる。効果は、処置領域を治療処置するために発泡層９２を通って伝達されるＬＥＤストリップ９０のランプからの放射エネルギーの複数の膨張する錐体のものである。
【００２９】
コントローラ７４は、装置の動作状況をユーザにいくつかの方法で伝達するように構成されている。ユーザがＯＮスイッチを作動させると、表示器（光又はビープ音響器（beep sounder）など）がユーザに装置が動作中であることを知らせる。コントローラは動作の時間を所定の限度（例えば１０又は１５分間）に決める。加えて、コントローラは、使用又はサイクルセッションを数えて、ユーザに、コントローラディスプレイを介して、装置により提供されたセッションの数を示し、更に、治療用放射生成におけるＬＥＤ効率が前のセッションより低下した後に、装置を無効化して、装置をもはや使用されないようにする。コントローラはまた、セッション継続時間が時間切れになった後に表示器光を停止させるか、又は代替的に別のビープ音をユーザに送ってもよい。あるいは、表示器は電池寿命又はランプ故障を示すために設けられてもよい。
【００３０】
図１３〜２３を参照すると、本開示の別の典型的な実施形態による伸縮性、可撓性、及び着用可能な治療ランププラットフォーム（本開示全体にわたって光線療法装置とも言う）が示されている。
【００３１】
図１３Ａは光線療法装置の平面図であり、図１３Ｂは光線療法装置の斜視図であり、どちらもユーザから見た図である。図示されるように、光線療法装置は実質的にＵ字形又は馬蹄形であるが、この形によって、装置の著しい程度の順応性が複数のユーザ処置領域（例えば、これらに限定されないが、足首、肘、膝、肩、及びその他の身体関節、並びに足部）にもたらされる。図１３〜２３に示す光線療法治療装置の応用例は、いずれかの特定のユーザ処置領域に限定されないが、特に適しているのは、関節であって、装置が骨の関節の周りを回りその関節の周りの筋肉／腱／組織を処置する関節である。
【００３２】
図１３〜２３を参照して説明する典型的な実施形態はＵ字形の光線療法装置を含んでいるが、当然のことながら、他の形状、例えば、これらに限定されないが、円形、正方形、矩形、卵形なども本開示の範囲内である。
【００３３】
図１３Ａ及び１３Ｂに示すように、典型的な光線療法装置１００は、複数のポッド１０２（１つ以上の電池を収容する）とポッド１０４（コントローラとＯＮ／ＯＦＦボタンスイッチ１０５とを収容する）とを含む。動作中、光線療法装置は治療用放射１０１をユーザ処置領域に発して、痛みを軽減し、及び／又はユーザ処置領域を治癒するための治療処置をもたらす。
【００３４】
図１４を参照すると、図１３Ａ及び１３Ｂに示す伸縮性、可撓性、及び着用可能な治療ランププラットフォームの分解図が示されている。光線療法装置は、硬質表面ポッド１０２、コントローラポッド１４０、電池１０６、コントローラ１０８、ワイヤ１１０（コントローラ１０８を電池１０６に動作可能に接続する）、ポッド最下部１１２、コントローラポッド最下部１１３、伸縮性で可撓性の最上層１１４、ＬＥＤストリップ１１６（可撓性のＬＥＤ接続ワイヤ１１７と動作可能に接続されている）、加熱要素１１８（温度センサ１１９を含む）、伸縮性で可撓性の最下層１２０、反射層１２２（注釈：ＬＥＤクリアランスホールは図示せず）、及び生物医学的な粘着性ゲルを含む。
【００３５】
図示されるように、発熱体１１８は、光線療法装置の全体的な形状を覆いユーザ処置領域に熱をもたらすパターンで配列されている。基本的に、ワイヤ（Ｎｉｃｈｒｏｍｅ（登録商標）ワイヤなど）がコントローラ１０８によって駆動されると熱をもたらし、温度センサ１１９はコントローラ１０８にフィードバックを送って、ユーザ処置領域に与えられる放射熱を調節し、これに加えて、光線療法装置がオンになった後にもたらされる初期熱を増加させ、例えば迅速に増加させて、温度を４０〜４５℃に維持する。
【００３６】
光線療法装置の構造によって、様々なユーザ処置領域に適用することができる伸縮性、可撓性、及び順応性のある治療ランププラットフォームが得られる。言い換えれば、光線療法装置は３次元のユーザ処置領域に対して順応性がある。
【００３７】
図１５を参照すると、図１４に示す反射層１２２の平面図が示されているが、ＬＥＤクリアランスホール１２１が示されている。
【００３８】
反射層は複数のランプ放射伝達領域１２１を含んでおり、これは開口部、クリアランスホール、及び／又はＬＥＤと位置合わせされた反射層１２２の領域などであり、ＬＥＤから発する放射の波長を透過させるものである。言い換えれば、ランプ放射伝達領域は透明又は半透明の可撓性材料で作製することができ、反射層又はフィルム（反射金属箔又はＰＥＴ反射材料）を、最下部（すなわち、反射層１２２の反射面）にマスキングプロセスを用いて付与して、放射伝達領域１２１の放射透過特性を維持する。ランプ放射を反射することに加えて、反射層１２２材料は、痛みを効果的に処置するなどのためにユーザ処置領域内に熱を閉じ込める絶縁材料を含むことができる。
【００３９】
代替的な配置として、光線療法装置は、反射層１２２を生物医学的な粘着性ゲルと、単一の利用可能な基材として一体化することができる。言い換えれば、粘着性ゲル（ユーザによって交換可能である）は、交換可能な反射層が粘着性ゲル内に組み込まれて、反射材料は粘着性ゲル内に入っている。
【００４０】
粘着性ゲルは、「粘着性の」接着剤ゲル化合物であり、光線療法装置構造の反射層１２２及びユーザ処置領域に取り外し可能に接着する。粘着性ゲル層は、光線療法装置が発するＬＥＤランプ放射に対して実質的に透明な材料で作製されているか、又はＬＥＤランプ放射を伝達する開口部を含んでいる。好適な材料の例としては、シリコン、ヒドロゲルアクリル、及びウレタン系材料が挙げられる。
【００４１】
典型的な一実施形態によれば、粘着性ゲル要素は、単一の交換可能構造に一体化された多層を含み、ここで最上層材料は光線療法装置構造に接合をもたらす特性を有し、最下層材料はユーザ処置領域に望ましい接着性をもたらす特性を有する。加えて、最上層と最下層との間の第３の層材料を設けて、粘着性ゲル要素の形状を維持する構造部品として機能させることができる。
【００４２】
図１６を参照すると、図１４に示す可撓性で伸縮性の最上層の平面図が示されており、図１７は、図１４に示す可撓性で伸縮性の最下層１２０の平面図である。
【００４３】
可撓性で伸縮性の最上層１１４及び最下層１２０によって、ＬＥＤストリップ１１６、ワイヤ１１７、任意の発熱体１１８、及び任意の温度センサ１１９に対する可撓性で伸縮性のハウジングが得られる。伸縮層１１４及び１２０は、例えば、低ジュロ硬度シリコーンＴＰＥ及び／又は布地から作製することができる。図１７に示すように、可撓性の最下層１２０は、複数のＬＥＤ放射伝達領域（すなわち開口部）を含んで、ユーザ処置領域に放射をもたらす。
【００４４】
図１８を参照すると、図１４に示す本開示の典型的な一実施形態によるＬＥＤストリップ１１６のレイアウトが示されている。
【００４５】
ＬＥＤストリップ１１６は、ワイヤ１１７によって動作可能に接続された複数のＬＥＤを含む。典型的な一実施形態によれば、２つの異なる波長の１８のＬＥＤが設けられており、６つのＬＥＤは炎症緩和のためのＩＲ（赤外線スペクトル放射）を提供し、１２のＬＥＤはＲ（赤色スペクトル放射）を提供する。
【００４６】
図１９を参照すると、図１４に示す任意の加熱要素１１８及び温度センサ１１９配列の拡大詳細図が示されている。
【００４７】
図２０を参照すると、図１４に示す回路基板、すなわちコントローラ、及び電池配列の拡大詳細図が示されている。
【００４８】
図示されるように、２つの電池１０６、コントローラ１１８、及びワイヤ１１０（電池１０６をコントローラ１０８に動作可能に接続する）が含まれている。好適な長さのワイヤ１１０によって、伸縮性で可撓性の構成が得られ、それによりワイヤ１１０は自由に伸縮する一方で、コントローラ１０２と電池１１０との間、並びにコントローラ１０８とＬＥＤストリップ１１６との間の電気伝導性を維持する。
【００４９】
図２１を参照すると、図１４に示す回路基板及び電池を収容するための最下部ケーシングの拡大詳細図が示されている。
【００５０】
図２２を参照すると、図１４に示す回路基板及び電池を収容するための最上部ケーシングの拡大詳細図が示されている。
【００５１】
図２３〜３１を参照すると、本開示の別の典型的な実施形態による可撓性の着用可能な治療ランププラットフォーム（本開示全体にわたって光線療法装置とも言う）が示されている。この光線療法プラットフォームのサイズ及び構造は、光線療法を比較的大きな筋肉（腰部、肩甲骨、臀部、及びふくらはぎなど）に付随するユーザ処置領域にもたらすのに特に適している。
【００５２】
図２３Ａを参照すると、光線療法装置２００の平面図が示されており、図２３Ｂは光線療法装置２００の斜視図であり、どちらもユーザから見た図である。図示されるように、光線療法装置は、可撓性層２０２、ハンドル２０６及び２０７、並びに制御装置最下部／取り外し可能なブルートゥースコントローラハウジングを含んで光線療法装置を動作させる。動作中、光線療法装置２００は治療用放射２０８をユーザ処置領域に発して、痛みを軽減し、及び／又はユーザ処置領域を治癒するための治療処置をもたらす。
【００５３】
図２４を参照すると、図２３に示す可撓性の着用可能な光線療法装置の分解図が示されている。図２４に示すように、光線療法装置２００は、制御ボタン／取り外し可能なブルートゥースコントローラハウジング最上部２０４及び最下部２３０、取り外し可能なブルートゥースコントローラ２１０、中間の装着ボード２１２、ハンドル最上部２０６及び２０７、ハンドル最下部２２２及び２２４、ＯＮ／ＯＦＦボタンスイッチ２１４、ワイヤ２１６（電池２２０をコントローラ２１８に動作可能に接続している）、ワイヤ２２８（最下部スイッチ２２６をコントローラ２１８に動作可能に接続している）、ＬＥＤストリップ２３２（ワイヤ２３４と動作可能に接続されている）、加熱要素２３６（温度センサ２３８を含む）、湾曲可能／可撓性の最下層２４０、反射層２４２（注釈：ＬＥＤクリアランスホールは図示せず）、並びに生物医学的な粘着性ゲルを含む。
【００５４】
図２５を参照すると、図２４に示す反射層の平面図が示されており、ＬＥＤクリアランスホール２４３が示されている。
【００５５】
図２６を参照すると、図２４に示す生体適合性の粘着性ゲル層の平面図が示されている。
【００５６】
図２７を参照すると、図２４に示す可撓性層の平面図が示されており、図２８は、図２４に示す湾曲可能な最下層の平面図を示す。これらの層の構造に適した材料としては、低ジュロ硬度ＳＡＮ、ネオプレン、ＴＰＥ、シリコン、及び布地が挙げられる。
【００５７】
図２９を参照すると、図１４に示す本開示の典型的な一実施形態によるＬＥＤストリップのレイアウトが示されている。
【００５８】
図３０を参照すると、図２４に示す任意の加熱要素及び温度センサ配列の拡大詳細図が示されている。
【００５９】
図３１を参照すると、図２４に示す回路基板２１８、すなわち、コントローラ分離電源ボタンの任意のブルートゥースアンテナ２２６、及び電池配列２２０の拡大詳細図が示されている。
【００６０】
図３２を参照すると、前述した光線療法装置１００の生物医学的な粘着性ゲル要素を交換する４つの工程プロセスが示されている。
【００６１】
ユーザが使用済みの粘着性ゲル要素を光線療法装置から取り除いた後、ユーザはまず、図示される担体３００のドッキング領域において光線療法装置を上下逆に配置する。
【００６２】
次に、工程２において、ユーザは未使用の粘着性ゲル要素を担体３００から取り除き、工程３に示すように、未使用の粘着性ゲル要素を光線療法装置上に配置する。
【００６３】
最後に、ユーザは粘着性ゲル要素バッキング層３０２に圧力を印加して、粘着性ゲル要素を光線療法装置に接着する（工程４に示す）。
【００６４】
可能な接着剤ゲル担体構造としては、折り畳み式旅行ケースと同様のブートパッケージ、ロール型パッケージング（ユーザがパッケージを広げて次の接着剤ゲルを取り出す、及びペンシルケースパッケージが挙げられる。
【００６５】
図３３を参照すると、交換した粘着性ゲル要素を含む光線療法装置をユーザ処置領域に適用するプロセスが示されている。最初に、ユーザは粘着性ゲル交換バッキング３０２を取り除く。次に、ユーザは圧力を用いて、光線療法装置１００を処置領域に付与し、ＯＮ／ＯＦＦボタンスイッチ１０５を作動させて、図３３に示すように光線療法処置セッションを始める。
【００６６】
図３４Ａ及び３４Ｂは、本開示の典型的な一実施形態による別の伸縮性で着用可能な治療ランププラットフォーム４００を示す。治療ランププラットフォームは、プラットフォームに動作可能に接続されたＳＩＭ（加入者識別モジュール）を含む。
【００６７】
図示されるように、光線療法装置４００は、複数の軟質表面ポッド４０２、複数の伸張可能なＬＥＤワイヤ容器、コントローラ４０６、及びＳＩＭカード装置４０８を含んでおり、ＳＩＭカード装置４０８を用いて、光線療法装置を作動させて、所定の数の用量の光線療法処置（例えば２〜１００）又は任意の他の数の用量／セッション（無制限の数の処置を含む）を提供する。
【００６８】
１つの典型的な実施形態によれば、ＳＩＭカードはユーザによって購入される消耗製品であり、別のＳＩＭカードを購入するか又は使い果たしたＳＩＭカードに対して更なる用量を電子的に購入する必要が生じる前に、限定された数の処置を提供するものである。
【００６９】
図３５Ａ及び３５Ｂは、ＳＩＭ上面カードスロット４２４とコントローラ４２２とを含む着用可能な治療ランププラットフォーム４２０の典型的な一実施形態を示す。
【００７０】
図３６Ａ及び３６Ｂは、ＳＩＭ側面カードスロット４４４及び付随するコントローラ４４２を含む着用可能な治療ランププラットフォーム４４０の典型的な一実施形態を示す。
【００７１】
図３７Ａ及び３７Ｂは、ＳＩＭレトロビデオゲームカードスロット４５４及び付随するコントローラ４５２を含む着用可能な治療ランププラットフォーム４５０の典型的な一実施形態を示す。
【００７２】
図３８Ａ、３８Ｂ、及び３８Ｃは、ＳＩＭとＳＩＭカードリーダとの組み合わせ４６４並びに付随するコントローラ４６２を含む着用可能な治療ランププラットフォーム４６０の典型的な一実施形態を示す。
【００７３】
図３９Ａ、３９Ｂ、及び３９Ｃは、着用可能な治療ランププラットフォーム４７０の典型的な一実施形態を示し、メインポッドの外側のＳＩＭ  ４７６とＳＩＭカードリーダ４７４との組み合わせ並びに付随するコントローラ４７２を含むものである。
【００７４】
図４０Ａ、４０Ｂ、及び４０Ｃは、本開示の典型的な一実施形態による伸縮性の着用可能ランププラットフォームを示す。
【００７５】
図示されるように、光線療法装置４８０は、複数の軟質表面パッド４８２を含んでおり、軟質表面パッド４８２の最下表面には複数の開口部４８３が配置されている。開口部４８３は、ＬＥＤランプに動作可能に関連付けられ、複数の伸張可能なＬＥＤワイヤ容器４８４とＯＮ／ＯＦＦボタンスイッチ４８７を有するコントローラ４８６とによって動作可能に相互接続されている。
【００７６】
図４１は、本開示による別の伸縮性の着用可能ランププラットフォーム５００の典型的な一実施形態の斜視図である。
【００７７】
図示されるように、光線療法装置５００は、複数の硬質表面ポッド５０２及びコントローラポッド５０４を含み、この装置は治療ランプ放射５０６を発する。
【００７８】
図４２は、図４１に示す伸縮性の着用可能ランププラットフォームの接着剤層構造５０８を示す。
【００７９】
図示されるように、接着剤層構造５０８（すなわち粘着性ゲル要素）は、光線療法装置に取り付けるための接着剤層５１０、中間層構造層５１２、及びユーザ処置領域の皮膚に対する接着剤層を含んでいる。
【００８０】
図４３Ａ及び４３Ｂは、図４１に示す伸縮性の着用可能ランププラットフォームに付随するポッドの構造的及び電気的な相互接続の詳細図である。
【００８１】
図示されるように、軟質表面ポッド４８２は伸張可能なＬＥＤワイヤ容器４８４に動作可能に接続されており、放射状構成によって、ＬＥＤを駆動するワイヤ５１６の可撓性及び伸縮性が得られる。
【００８２】
図４４Ａ及び４４Ｂは、図４１に示す伸縮性の着用可能ランププラットフォームに付随するポッドの構造的及び電気的な相互接続の更なる詳細図であり、図４４Ａは収縮形態のワイヤ容器を示し、図４４Ｂは伸張形態のワイヤ容器を示す。
【００８３】
図４５Ａ、４５Ｂ及び４５Ｃは、本開示の典型的な一実施形態による可撓性の着用可能ランププラットフォーム６００の画像である。
【００８４】
図示されるように、光線療法装置６００は、ハンドル６０２、可撓性伸縮層６０４を含んでおり、光線療法装置６００の最下表面には複数の開口部６０５が配置されている。開口部６０５は、中に収容されているＬＥＤストリップ６０６上に配置されたＬＥＤとＯＮ／ＯＦＦ制御スイッチ容器６０７とに動作可能に関連付けられている。
【００８５】
図４６は、図４５Ａ、４５Ｂ、及び４５Ｃに示す可撓性の着用可能ランププラットフォームをユーザの腰部領域に適用した画像である。
【００８６】
図４７は、本開示の典型的な一実施形態による別の可撓性の着用可能ランププラットフォーム７００を示しており、プラットフォーム７００は、ハンドル７０２、及びオン／オフ制御容器を含み、装置は治療ランプ放射７０６を提供する。
【００８７】
図４８は、図４６に示す可撓性の着用可能ランププラットフォームに含まれる交換可能な接着剤層の典型的な一実施形態を示しており、図４９は、図４８に示す交換可能な接着剤層の層状構造を示す。
【００８８】
図示されるように、第１の接着剤パッド部分７１０及び第２の接着剤パッド部分７１２が含まれる。接着剤パッド７１０及び７１２は、光線療法装置構造に取り付ける接着剤層、中間層構造部品７１６、及び皮膚に取り付けるための接着剤層７１８を含む。
【００８９】
図５０Ａ〜５０Ｅを参照すると、本開示の典型的な一実施形態による可撓性の着用可能な治療ランププラットフォームを動作させる制御プログラムのフローチャートが示されている。
【００９０】
図５０Ａは、以下のように動作するメイン動作制御プログラムのフローチャートである。
【００９１】
最初に、工程Ｓ８０２において、光線療法装置は電力下にあり、ＬＣＤディスプレイをオフにしてスリープモードで動作する。
【００９２】
スリープモードの間、制御プログラムは、図５０Ｄに示すように、ＣＭ  ＆  ＰＬＤ（充電マネージャ及び電力ＬＥＤディスプレイ）サブコントロールプログラムＳ８０４を実行する。
【００９３】
次に、制御プログラムは、図５０Ｅに示すように、補充及びＬＣＤディスプレイサブコントロールプログラムＳ８０６を実行する。
【００９４】
次に、工程Ｓ８０８において、制御プログラムは制御ＯＮ／ＯＦＦボタンをモニタリングして、ＯＮ／ＯＦＦボタンが１秒間押されたか否かを判定する。そうでない場合には、制御プログラムは工程Ｓ８０２に戻る。そうである場合には、制御プログラムは次に工程Ｓ８１０を実行して、装置の残りの用量が利用可能であるか否かを判定する。
【００９５】
用量カウンタがゼロである場合には、制御プログラムは工程Ｓ８１２を実行し、ＬＣＤ上で投与値「０」を点滅させて、ユーザに利用可能な用量がないことを通知する。残りの用量がある場合には、制御プログラムは工程Ｓ８１４を実行して、図５０Ｂに示すようにチェック開始サブコントロールを実行する。
【００９６】
チェック開始サブコントロールプログラムが満足に実行されない場合には、制御プログラムは工程Ｓ８０２に戻る。
【００９７】
チェック開始サブコントロールプログラムの実行が成功した後、制御プログラムは、工程Ｓ８１６を実行して投与数を表示し、工程Ｓ８１８及びＳ８２０を実行してＬＥＤを全出力まで０．５秒で増加させ、ＣＭ  ＆  ＰＬＤサブコントロールプログラムＳ８２２を実行し、工程Ｓ８２４を実行してブザーを１回鳴らし、工程Ｓ８２６を実行して１５分間の用量セッションカウンタを開始する。
【００９８】
次に、工程Ｓ８２８において、制御プログラムは、用量セッションカウンタのモニタリングを、進行している用量セッションが終了するまで行ない、この時点で、工程Ｓ８３２においてブザーを２回鳴らし、工程Ｓ８３０においてＬＥＤ電力を１秒間点滅させ、工程Ｓ８３２及びＳ８３０の両方において、現時点で進行中の用量セッションが終了したことをユーザに通知する。
【００９９】
次に、制御プログラムは、工程Ｓ８４４を実行してＬＥＤ電力を０．５秒間減少させ、それから制御プログラムは工程Ｓ８５０を実行してＬＥＤを停止させ、工程Ｓ８５２を実行してＬＥＤへの電力を停止させ、工程Ｓ８５４を実行してユーザに利用可能な投与数を表示する。この数は、以前に利用可能で工程Ｓ８１６で表示されたものよりも１小さい。
【０１００】
次に、制御プログラムは、工程Ｓ８０２でスリープモードを評価する。
【０１０１】
工程Ｓ８２８において、制御プログラムが現在の活性な用量セッションの終了にまだ達していない場合、制御プログラムは工程８３４を実行してＯＮ／ＯＦＦボタンの状態をモニタリングする。ＯＮ／ＯＦＦボタンが１秒間押されなかった場合は、制御プログラムは、サブコントロールプログラムであるシステムチェック（工程Ｓ８３６）、及びサブコントロールプログラムであるＣＭ  ＆  ＰＬＤ制御プログラム（工程Ｓ８３８）を、現在進行中の用量セッションが終了するまで実行する。
【０１０２】
もしユーザが、用量セッション中にＯＮ／ＯＦＦボタンを１秒間押した場合は、制御プログラムは、現在進行中の用量セッションを、工程Ｓ８４０を実行してブザーを３回鳴らすことによって終了させ、工程Ｓ８４２を実行してＬＥＤ電力を１秒間点滅させ、次いで工程Ｓ８４４、Ｓ８５０、Ｓ８５２及びＳ８５４を前述のように実行する。
【０１０３】
図５０Ｂは、チェック開始サブコントロールプログラムＳ８１４のフローチャートである。
【０１０４】
まず、工程Ｓ８３６において、システムチェック開始サブコントロールプログラムはＳ８３６を実行し、終了が成功しなかった場合は、サブコントロールプログラムは工程Ｓ８６２を実行して、ＬＣＤディスプレイ及びＬＥＤ電力を点滅させてユーザに故障を通知し、工程Ｓ８６４でメインプログラムに戻って、チェック開始の「ＮＯ」への移行を示す。
【０１０５】
工程Ｓ８３６の終了が成功した後、サブコントロールプログラムは工程Ｓ８６６を実行して、光線療法の投与を完了するのに十分なバッテリ電力／充電があるか否かを判定する。そうでない場合には、サブコントロールプログラムはＬＥＤを５倍速く点滅させてユーザに通知し、工程Ｓ８６４でメインプログラムに戻る。
【０１０６】
図５０Ｃは、システムチェック開始サブコントロールプログラムＳ８３６のフローチャートである。
【０１０７】
システムチェック開始サブコントロールプログラムは、工程Ｓ８８２でＬＥＤ電力消費をモニタリングし、ＬＥＤ電力が４５０ｍＡよりも大きくなって適切な用量放射エネルギー量を示した後に、サブコントロールプログラムはＳ８８６でメインプログラムに戻って、メイン制御プログラムの実行を続けて用量を供給する。そうでない場合には、適切な電力がＬＥＤによって消費されるまで工程Ｓ８８４で「ＮＯ」に戻る（工程Ｓ８８４）。
【０１０８】
図５０Ｄは、ＣＭ  ＆  ＰＬＤサブコントロールプログラムのフローチャートである。
【０１０９】
最初に、サブコントロールプログラムＳ８０４は、工程Ｓ８９２で充電コードがプラグインされているか否かを判定する。充電コードがプラグインされていない場合は、工程Ｓ９００を実行して電力がＯＮか否かが判定され、プラグインされている場合は、工程Ｓ９０２においてＬＥＤは電力供給され、工程Ｓ８９８においてＣＭ  ＆  ＰＬＤサブコントロールプログラムを出る。工程Ｓ９００で電力がＯＦＦであると判定された場合は、工程Ｓ８９８においてＣＭ  ＆  ＰＬＤサブコントロールプログラムを出る。
【０１１０】
Ｓ８９２で充電コードがプラグインされていると判定されたら、サブコントロールプログラムは、電池が完全に充電されているか否かを工程Ｓ８９４で判定する。そうである場合には、工程Ｓ９０４において充電を維持し電力ＯＮ  ＬＥＤを照明し、工程Ｓ８９８を行なってＣＭ  ＆  ＰＬＤサブコントロールプログラムを出る。工程Ｓ８９４で電池に充電が必要であると判定されたら、サブコントロールプログラムは工程Ｓ８９６を実行して、装置が完全に充填されるまで、電池を充電する一方で電力ＬＥＤをパルス化する。
【０１１１】
電池充電工程Ｓ８９６が完了した後、サブコントロールプログラムは工程Ｓ８９８を実行して、ＣＭ  ＆  ＰＬＤサブコントロールプログラムを出る。
【０１１２】
図５０Ｅは、補充及びＬＥＤディスプレイサブコントロールプログラムＳ８０６のフローチャートである。
【０１１３】
最初に、サブコントロールプログラムは用量数が０に等しいか否かを判定する。等しい場合には、工程Ｓ９２４を実行して、補充カートリッジが装置にプラグインされているか否かを判定する。利用できる補充カートリッジがない場合は、サブコントロールプログラムは工程Ｓ９１６を実行して、ディスプレイ上で投与値を点滅させてユーザに補充が必要であることを通知する。
【０１１４】
工程Ｓ９２４において補充カートリッジが利用できると判定された後、工程Ｓ９２６において補充カートリッジが認定済みであるか否かを判定する。補充カートリッジ認定済みではない場合は、工程Ｓ９２８及びＳ９３０を実行して補充カートリッジを無効化する。補充カートリッジが認定済みであると判定された場合は、サブコントロールプログラムは、工程Ｓ９２３を実行して補充投与量の追加を示し、工程Ｓ９３４において利用可能な投与の総数を１０秒間ユーザに示す。
【０１１５】
工程Ｓ９１８では、サブコントロールプログラムはＯＮ／ＯＦＦボタンをモニタリングし、ＯＮ／ＯＦＦボタンが押されていない場合は、工程Ｓ９２２でサブコントロールプログラムを出る。ＯＮ／ＯＦＦボタンが１秒間押された場合は、工程Ｓ９２０を実行して、ＬＣＤ上に投与値を１０秒間表示し、次いで工程Ｓ９２２を実行して、サブコントロールプログラムを出る。
【０１１６】
本明細書における詳細な説明の一部は、従来のコンピュータ構成部品（中央演算処理装置（ＣＰＵ）、ＣＰＵ用のメモリ記憶装置、及び接続された表示装置など）によって行なわれるデータビット上の動作のアルゴリズム及び記号表現の形で示す。これらのアルゴリズムの記載及び表現は、データ処理技術における当業者が、彼らの作業内容を他の当業者に最も効果的に伝えるために用いる手段である。アルゴリズムとは、望ましい結果に至る工程の自己矛盾のない順序として一般に理解される。この工程は、物理量の物理的な操作を必要とするものである。通常、必ずしも必要というわけではないが、これらの量は、記憶、転送、結合、比較、及びその他の方法で操作することができる電気又は磁気信号という形を取る。時折、主として共通使用の理由から、これらの信号をビット、値、要素、記号、文字、用語、数などということが好都合であることが分かっている。
【０１１７】
しかし当然のことながら、これら及び同様の用語はすべて適切な物理量に関連付けられるべきであり、単にこれらの量に適用される好都合な標示であるにすぎない。特に記載のない限り、本明細書の説明から明らかなように、当然のことながら、本明細書全体にわたって、「処理する」又は「算出する」又は「計算する」又は「決定する」又は「表示する」などの用語を用いる説明は、コンピュータシステム又は同様の電子算出装置であって、コンピュータシステムのレジスタ及びメモリ内の物理（電子）量として表されるデータを操作し、コンピュータシステムメモリ又はレジスタ又はその他のこのような情報記憶、伝達、若しくは表示装置内の物理量として同様に表される他のデータに変換するコンピュータシステム又は同様の電子算出装置の動作及びプロセスに言及する。
【０１１８】
典型的な実施形態はまた、本明細書で説明した動作を行なうための装置に関する。この装置は、必要な目的のために特別に構築されてもよく、あるいはコンピュータに格納されるコンピュータプログラムによって選択的に起動又は再構成される、汎用コンピュータを含んでもよい。このようなコンピュータプログラムは、これらに限定されないが、任意のタイプのディスク（フロッピーディスク、光ディスク、ＣＤ−ＲＯＭ、及び光磁気ディスクなど）、読み出し専用メモリ（ＲＯＭ）、ランダムアクセスメモリ（ＲＡＭ）、ＥＰＲＯＭ、ＥＥＰＲＯＭ、磁気若しくは光カード、又は電子命令を記憶するのに適した任意のタイプの媒体、及びコンピュータシステムバスに結合されたそれぞれなどのコンピュータ可読記憶媒体に記憶されることができる。
【０１１９】
本明細書で示すアルゴリズム及びディスプレイは、いずれかの特定のコンピュータ又はその他の装置に本来関係していない。種々の汎用システムを本明細書の教示に従うプログラムとともに用いてもよいし、又は本明細書で説明する方法を実行する、より特化された装置を構築することが好都合であると証明してもよい。種々のこれらのシステムに対する構造は、前述の説明から明らかである。加えて、典型的な実施形態は、いずれかの特定のプログラミング言語を参照して説明してはいない。当然のことながら、様々なプログラミング言語を用いて、本明細書で説明した典型的な実施形態の教示を実施することができる。
【０１２０】
機械可読媒体には、機械（例えばコンピュータ）によって読取可能な形態の情報を記憶又は伝達するための任意の機構が含まれる。例えば、機械可読媒体には、例を少し挙げると、読み出し専用メモリ（「読み出し専用メモリ」）、ランダムアクセスメモリ（「ＲＡＭ」）、磁気ディスク記憶媒体、光記録媒体、フラッシュメモリ装置、及び電気、光学、音響、又はその他の形態の伝搬信号（例えば、搬送波、赤外線信号、デジタル信号など）が含まれる。
【０１２１】
明細書全体にわたって例示した方法は、コンピュータ上で実行し得るコンピュータプログラム製品において実施することができる。コンピュータプログラム製品は、非一時的なコンピュータ可読記録媒体（制御プログラムが記録される）、例えばディスク、ハードドライブなどを含み得る。非一時的なコンピュータ可読媒体の一般的な形式としては、例えば、フロッピーディスク、フレキシブルディスク、ハードディスク、磁気テープ、又は任意のその他の磁気的な記憶媒体、ＣＤ−ＲＯＭ、ＤＶＤ、又は任意のその他の光媒体、ＲＡＭ、ＰＲＯＭ、ＥＰＲＯＭ、フラッシュＥＰＲＯＭ、又はその他のメモリチップ若しくはカートリッジ、又は任意のその他の有形的表現媒体（ここからコンピュータが読んで用いることができる）が挙げられる。
【０１２２】
あるいは、本方法は、伝達可能な搬送波などの一時的な媒体（制御プログラムが、伝送媒体、例えば音響又は光波、例えば電波通信及び赤外線データ通信の間に生成されるものなどを用いてデータ信号として具体化される）で実施してもよい。
【０１２３】
上述した開示並びに他の特徴及び機能の変形、又はその代替物は、他の多くの異なるシステム又は応用に組み合わされてもよいことが理解される。様々な現時点で予測しない又は予期しないそれらの代替案、変更、変形、又は改善は、後に当業者によって作製される場合があるが、それらも以下の請求項に包含されることが意図されている。
【０１２４】
〔実施の態様〕
（１）  光線療法装置であって、
着用可能な治療ランププラットフォームを含み、前記治療ランププラットフォームは、
ユーザ処置領域に放射エネルギーを提供するように構成された複数の放射ランプと、
前記放射ランプと位置合わせされ前記ユーザ処置領域に前記放射エネルギーを伝達するように配置された複数の放射エネルギー伝達領域を含む、伸縮性及び／又は可撓性の反射壁と、
第１の表面と第２の表面とを含む伸縮性及び／又は可撓性の接着剤層であって、前記第１の表面は、前記反射層に取り外し可能に取り付けられ、前記第２の表面は、前記ユーザ処置領域に前記着用可能な治療ランププラットフォームを取り外し可能に取り付けることに動作可能に関連付けられている、接着剤層と、を含む、光線療法装置。
（２）  前記放射エネルギー伝達領域は開口部を含む、実施態様１に記載の光線療法装置。
（３）  前記着用可能な治療ランププラットフォームはミレニアムファルコン形状である、実施態様１に記載の光線療法装置。
（４）  前記接着剤層は粘着性の接着剤ゲルを含む、実施態様１に記載の光線療法装置。
（５）  前記接着剤層は、第１の副層材料で形成された第１の副層と、第２の材料で形成された第２の副層と、第３の副層材料で形成された第３の副層と、を含み、前記第１の副層は、前記反射層に取り外し可能に取り付けられ前記第２の副層に取り付けられるように適応され、前記第２の副層は前記第１及び第３の副層に取り付けられ、前記第１の副層は、前記ユーザ処置領域に取り外し可能に取り付けられ前記第２の副層に取り付けられるように適応されている、実施態様１に記載の光線療法装置。
【０１２５】
（６）  前記第３の副層は、バイオクルーシブ材料、生体適合性材料、及び抗菌性材料のうちの１つ以上を含む、実施態様５に記載の光線療法装置。
（７）  前記複数の放射ランプは異波長放射エネルギーの混合組み合わせを含む、実施態様１に記載の光線療法装置。
（８）  前記複数の放射ランプが、赤色及び赤外波長放射エネルギーのうちの一方又は両方を含む、実施態様１に記載の光線療法装置。
（９）  前記光線療法装置の動作を制御するように構成された、一体化され着用可能なマイクロコントローラを更に含む、実施態様１に記載の光線療法装置。
（１０）  １つ以上の一体化され着用可能な電池を更に含む、実施態様１に記載の光線療法装置。
【０１２６】
（１１）  前記反射壁及び接着剤層のうちの１つ以上はシリコン及び／又はウレタン系材料である、実施態様１０に記載の伸縮性で可撓性の光線療法装置。
（１２）  伸縮性で可撓性の着用可能な光線療法装置であって、
複数の放射エネルギーポッドであって、各ポッドは、ユーザ処置領域に放射エネルギーを提供する１つ以上の放射ランプを含み、各ポッドは１つ以上の他のポッドに伸縮自在及び可撓的に接続されている、複数の放射エネルギーポッドと、
１つ以上の放射エネルギー部分に伸縮自在及び可撓的に接続された制御ポッドであって、前記制御ポッドは、前記放射エネルギーポッドに動作可能に接続され、前記放射ランプの動作を制御するように構成されている、制御ポッドと、を含む、光線療法装置。
（１３）  前記制御ポッドは、前記１つ以上の放射ランプに動作可能に電力供給する電源を含む、実施態様１２に記載の伸縮性で可撓性の着用可能な光線療法装置。
（１４）  前記放射ランプと位置合わせされ前記ユーザ処置領域に前記放射エネルギーを伝達するように配置された複数の放射エネルギー伝達領域を含む、伸縮性で可撓性の反射壁を更に含む、実施態様１２に記載の伸縮性で可撓性の着用可能な光線療法装置。
（１５）  第１の副表面と第２の副表面とを含む伸縮性で可撓性の接着剤層を更に含み、前記第１の副表面は、前記着用可能な光線療法装置に取り外し可能に取り付けられ、前記第２の副表面は、前記ユーザ処置領域に前記着用可能な光線療法装置を取り外し可能に取り付けることに動作可能に関連付けられている、実施態様１２に記載の伸縮性で可撓性の着用可能な光線療法装置。
【０１２７】
（１６）  前記複数の放射ランプが、赤色及び赤外波長放射エネルギーのうちの一方又は両方を含む、実施態様１２に記載の伸縮性で可撓性の着用可能な光線療法装置。
（１７）  前記光線療法装置の動作を制御するように構成された、一体化され着用可能なマイクロコントローラを更に含む、実施態様１２に記載の伸縮性で可撓性の着用可能な光線療法装置。
（１８）  １つ以上の一体化され着用可能な電池を更に含む、実施態様１２に記載の伸縮性で可撓性の着用可能な光線療法装置。
（１９）  前記反射壁及び接着剤層のうちの１つ以上がシリコン及び／又はウレタン系材料である、実施態様１２に記載の伸縮性で可撓性の着用可能な光線療法装置。
【図１Ａ】
2018522640.tif 000003
【図１Ｂ】
2018522640.tif 000004
【図２】
2018522640.tif 000005
【図３】
2018522640.tif 000006
【図４Ａ】
2018522640.tif 000007
【図４Ｂ】
2018522640.tif 000008
【図４Ｃ】
2018522640.tif 000009
【図４Ｄ】
2018522640.tif 000010
【図５】
2018522640.tif 000011
【図６】
2018522640.tif 000012
【図７】
2018522640.tif 000013
【図８】
2018522640.tif 000014
【図９】
2018522640.tif 000015
【図１０】
2018522640.tif 000016
【図１１】
2018522640.tif 000017
【図１２】
2018522640.tif 000018
【図１３Ａ】
2018522640.tif 000019
【図１３Ｂ】
2018522640.tif 000020
【図１４】
2018522640.tif 000021
【図１５】
2018522640.tif 000022
【図１６】
2018522640.tif 000023
【図１７】
2018522640.tif 000024
【図１８】
2018522640.tif 000025
【図１９】
2018522640.tif 000026
【図２０】
2018522640.tif 000027
【図２１】
2018522640.tif 000028
【図２２】
2018522640.tif 000029
【図２３Ａ】
2018522640.tif 000030
【図２３Ｂ】
2018522640.tif 000031
【図２４】
2018522640.tif 000032
【図２５】
2018522640.tif 000033
【図２６】
2018522640.tif 000034
【図２７】
2018522640.tif 000035
【図２８】
2018522640.tif 000036
【図２９】
2018522640.tif 000037
【図３０】
2018522640.tif 000038
【図３１】
2018522640.tif 000039
【図３２】
2018522640.tif 000040
【図３３】
2018522640.tif 000041
【図３４Ａ】
2018522640.tif 000042
【図３４Ｂ】
2018522640.tif 000043
【図３５Ａ】
2018522640.tif 000044
【図３５Ｂ】
2018522640.tif 000045
【図３６Ａ】
2018522640.tif 000046
【図３６Ｂ】
2018522640.tif 000047
【図３７Ａ】
2018522640.tif 000048
【図３７Ｂ】
2018522640.tif 000049
【図３８Ａ】
2018522640.tif 000050
【図３８Ｂ】
2018522640.tif 000051
【図３８Ｃ】
2018522640.tif 000052
【図３９Ａ】
2018522640.tif 000053
【図３９Ｂ】
2018522640.tif 000054
【図３９Ｃ】
2018522640.tif 000055
【図４０Ａ】
2018522640.tif 000056
【図４０Ｂ】
2018522640.tif 000057
【図４０Ｃ】
2018522640.tif 000058
【図４１】
2018522640.tif 000059
【図４２】
2018522640.tif 000060
【図４３Ａ】
2018522640.tif 000061
【図４３Ｂ】
2018522640.tif 000062
【図４４Ａ】
2018522640.tif 000063
【図４４Ｂ】
2018522640.tif 000064
【図４５Ａ】
2018522640.tif 000065
【図４５Ｂ】
2018522640.tif 000066
【図４５Ｃ】
2018522640.tif 000067
【図４６】
2018522640.tif 000068
【図４７】
2018522640.tif 000069
【図４８】
2018522640.tif 000070
【図４９】
2018522640.tif 000071
【図５０Ａ】
2018522640.tif 000072
【図５０Ｂ】
2018522640.tif 000073
【図５０Ｃ】
2018522640.tif 000074
【図５０Ｄ】
2018522640.tif 000075
【図５０Ｅ】
2018522640.tif 000076
【国際調査報告】
2018522640.tif 000077
2018522640.tif 000078
2018522640.tif 000079
2018522640.tif 000080
2018522640.tif 000081
2018522640.tif 000082